(57)【要約】【課題】設置が容易かつ確実な遮音板を有し、異音（衝突音）の発生を防止すると共に、外部に音を漏らさない遮音性に優れた洗濯機を提供する。【解決手段】洗濯機１の底板２３に形成された開口部２４が遮音板５０によって覆われている。遮音板５０は一方の側縁がコ字状に折り曲げられた矩形板であって、上面に弾性部材６０が設置された平面部５１と、上面側に折り曲げられた立ち上がり部５２と、平面部５１に平行の係止部５３（係止爪５４が形成されている）とを具備している。平面部５１は底板２３に設置された支持手段３０に差し込まれ、係止爪５４が底枠下部２２に形成された係止孔２６に係止する。よって、遮音板５０は抜け出し不能であて、弾性部材６０は平面部５１と底板２３とによって挟圧されるから、洗濯機１では異常音（衝突音）が生じることなく、内部から音が漏れることが防止される。【選択図】図１
2008161563.tif 000002
【特許請求の範囲】
【請求項１】
筐体の底板に形成されている開口部を覆うための遮音板と、
前記筐体の底板の前記開口部に沿って形成され、前記遮音板を少なくとも一方向から差し込み可能にする保持手段と、を有し、
前記遮音板に、前記開口部を封鎖自在または包囲自在な弾性部材が設置され、
前記遮音板が前記保持手段に差し込まれた際、前記遮音板が前記開口部を覆うと共に、前記弾性部材が前記筐体の底板と前記遮音板との隙間を封鎖することを特徴とする洗濯機。
【請求項２】
筐体の底板に形成されている開口部を覆うための遮音板と、
前記筐体の底板の前記開口部に沿って形成され、前記遮音板を少なくとも一方向から差し込み可能にする保持手段と、を有し、
前記遮音板に、前記筐体の底板に下方に向けて突出して設置されている足部の高さよりも厚い弾性部材が設置され、
前記遮音板が前記保持手段に差し込まれた状態で洗濯機が載置面に載置された際、前記遮音板が前記開口部を覆うと共に、圧縮された前記弾性部材によって、前記遮音板が前記筐体の底板に押し当てられることを特徴とする洗濯機。
【請求項３】
前記筐体の底板の前記遮音板の差込手前側に、前記遮音板の差し込みを容易にするガイド手段が形成されていることを特徴とする請求項１または２記載の洗濯機。
【請求項４】
前記保持手段が１または２以上の断面略Ｌ字状部材であって、該断面略Ｌ字状部材の前記遮音板の差込手前側に、該差込手前側を広くする呼び込みテーパ部が形成されていることを特徴とする請求項１乃至３の何れかに記載の洗濯機。
【請求項５】
前記遮音板の差込奥側の縁部の一方または両方の角部に、該差込奥側の幅を狭くする幅方向テーパ部が形成されていることを特徴とする請求項１乃至４の何れかに記載の洗濯機。
【請求項６】
前記遮音板の差込奥側の縁部に、該差込奥側の厚さを薄くする厚さ方向テーパ部が形成されていることを特徴とする請求項１乃至５の何れかに記載の洗濯機。
【請求項７】
前記遮音板に、１または２以上の凹部が形成されていることを特徴とする請求項１乃至６の何れかに記載の洗濯機。
【請求項８】
前記遮音板を貫通する、１または２以上の水抜き孔が形成されていることを特徴とする請求項１乃至７の何れかに記載の洗濯機。
【請求項９】
前記水抜き孔が多孔質部材によって覆われていることを特徴とする請求項８記載の洗濯機。
【請求項１０】
前記遮音板の差込手前側に係止用爪が形成され、  
前記筐体に、前記係止用爪が係止自在な爪受け部が形成されていることを特徴とする請求項１乃至９の何れかに記載の洗濯機。
【請求項１１】
前記筐体が、前後方向に傾動自在な水槽を収納する前後方向に長い本体部と、前記底部を具備する前記本体部より前後方向の長さが短い底枠と、を具備し、
該底枠が前記本体部の後方寄りに配置されると共に、前記遮音板が後方側から差し込み可能であることを特徴とする請求項１乃至１０の何れかに記載の洗濯機。
【発明の詳細な説明】
【技術分野】
【０００１】
本発明は洗濯機、特に、筐体の底板に形成された開口部を塞ぐ遮音板を有する洗濯機に関するものである。
【背景技術】
【０００２】
工場出荷の際、洗濯機の筐体内部に懸吊された水槽（内部に脱水洗濯槽が回転自在に設置されている）が搬送中に動かないようにするため支持材が設置されている。また、洗濯機の筐体の底板には開口部が形成されている。そして、洗濯機が載置面（たとえば、家庭の床や防水パン等）に載置される直前に、前記支持材は前記開口部を通過して撤去され、前記開口部は遮音板によって塞がれるものである。
このとき、洗濯機の運転中（特に、脱水中）に、遮音板が底板に当たって異常音（衝突音に同じ）が発生するため、これを防止しようとする発明が示されている（例えば、特許文献１参照）。
【０００３】
【特許文献１】特開平１１−１４６９９６号公報（第２−３頁、図２）
【発明の開示】
【発明が解決しようとする課題】
【０００４】
特許文献１に開示された発明は、筐体の底板に遮音板取付板を設置し、遮音板取付板に形成された開口部の両側縁に沿って対向するガイドリブが形成され、対向するガイドリブの間に遮音板を差し込むものである。そして、ガイドリブは遮音板取付板の下方に向かって突出し、遮音板取付板のガイドリブの位置にはガイトリブ側に突出する凸部が形成されている。したがって、差し込まれた遮音板はガイトリブと凸部とによって圧接（挾持）されるから、凸部がない場合に比べ、差し込まれた遮音板はガイドリブ内を移動し難くなり（ガタ付かなくなり）、異常音が低減されるものである。なお、差し込まれた遮音板の一端は遮音板取付板にネジによって固定されている。
【０００５】
しかしながら、特許文献１に開示された発明には、以下のような問題があった。
（あ）脱水時の振動等による異音（衝突音）の発生を防止しようとすると、ガイトリブと凸部とによる圧接（挾持）を確実にする必要があるものの、圧接（挾持）を確実にしたのでは遮音板の差し込みが困難になるため、異音（衝突音）の発生を防止することができない。
（い）凸部が遮音板取付板から突出し、遮音板は凸部に当接するから、遮音板取付板と遮音板との間には隙間が形成され、該隙間から筐体の外にモータ等の音が漏れる。
（う）遮音板の一端は遮音板取付板にネジによって固定されるから、長期間に渡る使用によってネジが弛み、遮音板が移動（ズレ）して開口した範囲からモータ等の音が漏れるおそれがある。
（え）前記ネジの位置が筐体の底部であって、通常、筐体の側面から奥まった位置にあるため、洗濯機が載置面に載置された状態では、ネジを設置する作業が困難であると共に、ネジが設置された状況（あるいは、ネジの弛み状況）を確認する作業が困難である。
【０００６】
本発明は上記に鑑みてなされたものであって、設置が容易かつ確実な遮音板を有し、異音（衝突音）の発生を防止すると共に、外部に音を漏らさない遮音性に優れた洗濯機を提供することを目的とする。
【課題を解決するための手段】
【０００７】
本発明に係る洗濯機は、筐体の底板に形成されている開口部を覆うための遮音板と、
前記筐体の底板の前記開口部に沿って形成され、前記遮音板を少なくとも一方向から差し込み可能にする保持手段と、を有し、
前記遮音板に、前記開口部を封鎖自在または包囲自在な弾性部材が設置され、
前記遮音板が前記保持手段に差し込まれた際、前記遮音板が前記開口部を覆うと共に、前記弾性部材が前記筐体の底板と前記遮音板との隙間を封鎖することを特徴とする。
【発明の効果】
【０００８】
したがって、本発明に係る洗濯機は、遮音板が筐体の底板に形成された開口部を覆うと共に、弾性部材が筐体の底板と遮音板との隙間を封鎖するから、筐体の外部にモータ等の音が漏れることが防止される。また、遮音板に設置された弾性部材が筐体の底板に押し当てられるから、脱水時の振動によっても遮音板が移動しないで（ガタつかないで）異常音（衝突音）の発生が防止される。
【発明を実施するための最良の形態】
【０００９】
［実施の形態１］
図１は本発明の実施の形態１に係る洗濯機を説明する、（ａ）は一部断面にした側面図、（ｂ）は一部の側面視の拡大断面図、（ｃ）は一部の背面視の拡大断面図である。なお、本図および以下の図において、各構成部材を模式的に示しているため、その寸法は正確でない。特に、薄板によって形成されている部材については、明りょうにするため、厚さを誇張して示している。また、各図において同じ部分または相当する部分には同じ符号を付し、一部の説明を省略する。
【００１０】
図１において、洗濯機１は、筐体１０に水槽が懸吊され、水槽の内部には洗濯脱水槽が回転自在に設置されている（何れも図示しない）。なお、本発明は洗濯機の様式を限定するものではなく、洗濯に際し、洗濯脱水槽に設置されたパルセータが回転するパルセータ式、洗濯脱水槽自体が回転するドラム式、あるいは、洗濯脱水槽が傾動する傾動式等など、何れであってもよい。また、洗濯脱水槽に温風を供給して洗濯物を乾燥する手段が設置されたものであってもよい。
【００１１】
（底枠）
筺体１０は断面矩形の筒状（略直方体に同じ）であって、下部に底枠２０が設置されている。底枠２０は筺体１０に連らなる底枠上部２１と、底枠上部２１に連なって底枠上部２１よりも小さい底枠下部２２とから形成され、底枠下部２２の水平部（筐体の底板に同じ、以下「底板」と称す）２３には開口部２４が形成されている。また、底板の四隅にはゴム足２５が設置されている。
さらに、底枠下部２２の後面（図１の（ａ）、（ｂ）において右側）には係止孔２６が形成され、係止孔２６に後記する遮音板５０に形成された係止爪５４が係止するものである。
【００１２】
（保持手段）
底板２３の下面で開口部２４の周囲には、後記する遮音板５０が差し込まれると共に、これを保持する保持手段３０が設置されている。
保持手段３０は、遮音板５０の差し込み方向に略平行して設置され、遮音板５０の差し込みを案内する案内保持手段３１と、差し込まれた遮音板５０を差し込みを止める差込奥側保持手段３２と、から構成されている。
なお、遮音板５０は洗濯機１の後方（図１の（ａ）、（ｂ）において右側）から前方（図１の（ａ）、（ｂ）において左側）に向かって差し込まれるものであるから、案内保持手段３１は、洗濯機１の側面（図１の（ｃ）において左側および右側）に沿って、差込奥側保持手段３２は洗濯機１の前寄り（図１の（ａ）、（ｂ）において左側）に、それぞれ設置されている。
【００１３】
案内保持手段３１は断面Ｌ字状であって、鉛直部３１１と水平部３１２とから形成され、差込奥側保持手段３２も同様に断面Ｌ字状であって、鉛直部３２１と水平部３２２とから形成されている。なお、案内保持手段３１および差込奥側保持手段３２の数量は限定するものではない。また、以下の説明において、共通する内容を説明する場合には、単に保持手段３０、鉛直部３０１および水平部３０２と総称する。
【００１４】
（遮音板）
図２は本発明の実施の形態１に係る洗濯機に設置される遮音板を模式的に示す斜視図である。図２において、遮音板５０は矩形板であって、一方の側縁がコ字状に折り曲げられ、広い範囲の平面部５１と、平面部５１に連なった立ち上がり部５２と、係止部５３と、から構成されている。そして、係止部５３の先端（遮音板５０の側縁に同じ）には断面台形状または断面三角形状の係止爪５４が形成されている。係止爪５４は係止部５３の下面から突出した顎部を有しているから、係止爪５４（係止部５３に同じ）を係止孔２６に押し込むと、係止爪５４（または係止部５３）は弾性変形して係止孔２６を貫通し、前記顎部が立ち上がり部５２に係止する。このとき、遮音板５０の差込奥側の側縁（図１の（ａ）、（ｂ）において左側）は差込奥側保持手段３２によって支持されている（図１の（ｂ）参照）。
【００１５】
したがって、遮音板５０を差し込むだけで、遮音板５０を底板２３に抜き出し不能に固定することができるから、作業が容易になると共に、固定が確実になる。特に、底枠下部２２は筐体１０の側面よりも奥まっているため、従来は、ネジを螺合する作業が困難であることから、作業に時間を費やすだけでなく、ネジの取付不良や取付忘れが生じ、結果として遮音効果が失われることがあった。
なお、係止爪５４は上向きであってもよい。上向きにした場合、サービス性（取り外し易さ）や製造上（型の抜き）で更に都合がよい。
なお、係止部５３（係止爪５４が形成されている）が底枠下部２２に形成された場合には、遮音板５０の立ち上がり部５２に係止孔２６が形成されることになる。
さらに、遮音板５０の平面部５１に１または２以上の貫通孔を設け、該貫通孔によって筐体１０内に生じた結露水等を筐体１０の外に排出するようにしてもよい。
なお、貫通孔をできるだけ後方（背面側）に配置しておけば、使用者に音が伝わり難くなり不快感が防止される。また、貫通孔は、結露水の他、非常時の溢水の処理にも使用される。したがって、貫通孔はできるだけ低い位置に配置されるのが好ましい。
【００１６】
（弾性部材）
図２において、遮音板５０の平面部５１に弾性部材６０（断面を梨地にて示す）が設置されている。弾性部材６０は、外周６１が遮音板５０の平面部５１の大きさに略同じ環状であって、弾性部材６０の厚さに平面部５１の厚さを加えた厚さが、底板２３と保持手段３０の水平部３０２との隙間より大きくなっている。したがって、遮音板５０が差込奥側保持手段３２に止まるまで差し込まれた状態で、平面部５１が開口部２４を覆うと共に、弾性部材６０の外周６１に近い環状範囲が、底板２３と平面部５１とによって挟圧されている（図１参照）。
【００１７】
このとき、弾性部材６０の内周６２の大きさが底板２３に形成された開口部２４より小さいため、弾性部材６０の内周６２に近い環状範囲は底板２３から外れて挟圧されない。一方、弾性部材６０の内周６２の大きさを開口部２４より大きくしておけば、弾性部材６０は全面において底板２３と平面部５１とによって挟圧されることになる。
なお、弾性部材６０の表面に底板２３との摺動を滑らかにするために低摩擦係数の可撓性シート等を設置してもよく、また、弾性部材６０は環状でない板状（内周６２を具備しないもの）にしてもよい。たとえば、四角状や棒状の弾性部材を複数つなぎ合わせて使用してもよい。このとき、材料取りが容易になり、製造コストが低減する。
【００１８】
（遮音効果）
以上の説明から明らかなように、遮音板５０は筐体１０の底板２３の開口部２４を覆うと共に、遮音板５０と底板２３との間には挟圧された弾性部材６０が介在し、しかも、遮音板５０は係止爪５４と係止孔２６とによって抜け出し不能に差し込まれている。したがって、筐体１０内部からモータ等の音が外部に漏れ出すことがない。
また、遮音板５０に設置された弾性部材６０が底板２３に押し当てられ、遮音板５０と保持手段３０とは挟圧された弾性部材６０の反発力に移動困難（ガタつかないよう）に当接しているから、脱水時の振動によっても、異常音（衝突音）の発生が防止される。
【００１９】
（遮音板のバリエーション）
図３〜図５は、図１および図２に示す遮音板のバリエーションを模式的に示す、図３は斜視図、図４は断面図、図５は一部の斜視図である。
図３および図４の（ａ）において、遮音板５０ａには円環でない弾性部材６０ａが設置されている。弾性部材６０ａは平面部５１の縁から所定範囲だけ奥まった範囲に設置されている。したがって、弾性部材６０ａは保持手段３０の直上にないものの、平面部５１が保持手段３０によって支持されるから、弾性部材６０ａは平面部５１と底板２３との間に挾持されることになる。
【００２０】
図４の（ｂ）において、遮音板５０ｂは矩形の平面部５１の差込奥側の側縁５１ｂが係止部５３側に曲げられ、側縁５１ｂを除く範囲に、差込奥側が差込手前側より薄く形成された弾性部材６０ｂが設置されている。なお、弾性部材６０ｂは板状でも環状であってもよい。したがって、遮音板５０ｂを差し込む作業が容易になる。
図４の（ｃ）において、遮音板５０ｃは矩形の平面部５１の底板２３の開口部２４の周囲に沿って断続的に複数の弾性部材６０ｃが設置されている。すなわち、遮音板５０ｃが底板２３に設置された際、挟圧された弾性部材６０ｃ同士の間には、上下方向に潰された隙間６１ｃが形成されるものの、その範囲は狭いため、遮音効果を奏する。
【００２１】
図４の（ｄ）において、遮音板５０ｄは矩形の平面部５１の中央部に、差込手前側が深くなる凹部５５が形成され、凹部５５の差込手前側にドレン孔５６が設けられている。
したがって、筐体１０内に生じた結露水等は、凹部５５に集められ、ドレン孔５６から筐体１０の外に排出されることになる。よって、筐体１０の内部の清潔と機器の保全性とが向上する。
なお、凹部５５として、差込手前側の所定範囲および差込奥側の所定範囲において大きな角度（図中、θ５、θ６）で傾斜し、これを除く範囲ではなだらかなテーパ状になっているが、本発明はかかる傾斜角度やテーパ角度を限定するものではなく、たとえば、平面部５１の差込奥側の縁部からテーパ状に凹部を形成してもよい。
【００２２】
図４の（ｅ）において、遮音板５０ｅは遮音板５０ｄに形成されたドレン孔５６を多孔質体５７で覆ったものである。すなわち、多孔質体５７は透水性（吸水性に同じ）を具備するから、筐体１０内で発じた結露水等を外部に排出することができる。また、同時に、空気の振動を遮断するから、筐体１０内で発生した音がドレン孔５６を通過して外部に漏れることを防止する。
図４の（ｆ）において、遮音板５０ｅは多孔質体５７が凹部５５の内側（上側）に設置されていたのに対し、遮音板５０ｆでは多孔質体５７が凹部５５の外側（下側）に設置されている。したがって、遮音板５０ｅと同様の排出効果と遮音効果を奏すると共に、底板２３の下方の風流れによって、多孔質体５７の乾燥が促進される。
【００２３】
図４の（ｇ）において、遮音板５０ｇは遮音板５０ｄに形成されたドレン孔５６を覆う多孔質体５７が凹部５５内に収納されている。すなわち、多孔質体５７の上面が底板２３の上面よりも高くないから、全面を覆う弾性部材６０ａや弾性部材６０ｂを設置するのに好適である。
【００２４】
図５において、遮音板５０ｈの平面部５１ｈは差込奥側（図中、左側）の幅が狭くなっている。すなわち、平面部５１ｈは、差込奥側の角部に幅方向の面取り５８が形成され、五角形を呈している。このとき、幅方向の面取り５８の大きさや面取り角度（幅方向の呼び込み角度に同じ）は限定するものではない。したがって、遮音板５０ｈを保持手段３０に差し込む際、幅方向の面取り５８が保持手段３０（特に、案内保持手段３１）に容易に侵入するから、差し込み作業が容易になる。
【００２５】
一方、遮音板５０ｈを設置するために、筐体１０の底板２３に形成されている開口部２４を、遮音板５０ｈの平面形状に相似する五角形にしてもよい。また、同様に、弾性部材６０を五角形の環状にしてもよい。したがって、弾性部材６０の量を抑えながら遮音効果を得ることができる。なお、遮音板５０ｈが差込奥にまで差し込まれた際（設置状態）における、遮音板５０ｈの位置を破線にて示している。
また、遮音板５０ｈの筐体１０の後側から前側に差し込むとき、差込奥側は筐体１０の前側になる。そして、筐体１０の前側は排水ホース（図示しない）等があり、これを底枠２０に固定するため、開口部２４を五角形にして底板２３の面積を増やすことは、かかる固定に対しても好適である。
【００２６】
（保持手段のバリエーション）
図６は、図１および図２に示す保持手段のバリエーションを模式的に示す側面図であって、（ａ）は案内保持手段、（ｂ）は差込奥側保持手段である。
図６の（ａ）において、案内保持手段３１ａ（図中、左側は側面視で手前を、右側は側面視で奥を、それぞれ図示している）は、鉛直部３１１と水平部３１２ａとから形成され、水平部３１２ａは傾斜し、差込手前側（図中、右側）が広くなっている。したがって、遮音板５０の差し込みが容易になっている。なお、水平部３１２ａの差込奥側に水平部を設ければ、遮音板５０との当接面積を広くすることができる。
【００２７】
図６の（ｂ）において、差込奥側保持手段３２ａは、鉛直部３２１と水平部３２２ａとから形成され、水平部３２２ａは傾斜し、差込手前側（図中、右側）が広くなっている。したがって、遮音板５０の差し込みが容易になっている。なお、水平部３２２ａの差込奥側に水平部を設ければ、遮音板５０との当接面積を広くすることができる。
【００２８】
（差し込み方向のバリエーション）
図７は、図１に示す遮音板の差し込み方向のバリエーションを模式的に示す、底面を上方にした斜視図である。
図７の（ａ）は、図１に示すものに同じであって、遮音板５０を筐体１０の後方から、前方に向かって差し込んでいる。底枠下部２２は筐体１０よりも小さいため、底枠下部２２は筐体１０の側面より前後方向で後退しているものの、後退する量の少ない後方では、底枠下部２２の後面を視認しながら差し込み作業をすることができるから、作業が容易になっている。
【００２９】
図７の（ｂ）は、遮音板５０を筐体１０の一方の側方から他方の側方に向かって差し込んでいる。底枠下部２２は筐体１０よりも小さいものの、側方（前後方向に垂直な方向）では、底枠下部２２の側面の後退が少ないため、底枠下部２２の側面を視認しながら差し込み作業をすることができるから、作業が容易になっている。
なお、差し込み方向はこれに限定するものではなく、遮音板５０を筐体１０の前方から、後方に向かって差し込んでもよい。また、差し込み方向の変更に伴って、保持手段３０（案内保持手段３１、差込奥側保持手段３２）の配置は適宜変更されるものである。
【００３０】
［実施の形態２］
図８は本発明の実施の形態２に係る洗濯機を説明する、（ａ）は一部を示す側面視の断面図、（ｂ）は一部を示す背面図である。
図８において、洗濯機２は、底枠下部２２の後方の面に、遮音板５０の差し込みを容易にするための呼び込みガイド７０を具備している。呼び込みガイド７０は一対の断面Ｌ字部材７０ａ、７０ｂから構成され、それぞれ、底板２３に垂直で下方に突出する鉛直部７０１ａ、７０１ｂと、差込手前側が低くなるように傾斜した呼び込み部７０２ａ、７０２ｂを具備している。そして、断面Ｌ字部材７０ａ、７０ｂの差込手前側の端面は、底枠下部２２の後方の面と略同じ面内にあるため、断面Ｌ字部材７０ａ、７０ｂの差込手前側の端面を視認しながら、遮音板５０を差し込むことができるから、差し込み作業が容易になる。なお、図８には、断面Ｌ字部材７０ｂ（鉛直部７０１ｂと呼び込み部７０２ｂとから構成される）のみ示している。
【００３１】
［実施の形態３］
図９は本発明の実施の形態３に係る洗濯機を説明する一部を示す側面図であって、（ａ）は洗濯機を載置する前、（ｂ）は洗濯機を載置した後である。図９において、洗濯機３には遮音板８０が設置されている。
遮音板８０は、平面部５１の下面（立ち上がり部５２の反対側）に設置された弾性部材９０を有している。すなわち、遮音板５０（実施の形態１、２）では、弾性部材６０が平面部５１の上面（立ち上がり部５２側）に設置されていたから、遮音板８０はこの点において遮音板５０と相違し、その他の点においては同一である。そして、弾性部材９０そのものは、弾性部材６０（バリエーションである遮音板５０ａ〜５０ｈを含む、図４および図５参照）に同じである。
【００３２】
このとき、平面部５１の厚さ（Ｈ５１）と弾性部材９０（平面部５１の下面に設置されている）の厚さ（Ｈ９０）とを合わせた厚さが、ゴム足２５の高さ（Ｈ２５）より大きくなっている（（Ｈ５１＋Ｈ９０）＞Ｈ２５）。
したがって、洗濯機３が載置面９（床面、防水パン等）に載置されたとき、弾性部材９０は載置面９と平面部５１とによって挟圧され、高さの差（（Ｈ５１＋Ｈ９０）−Ｈ２５）だけ圧縮されるから、その反発力によって平面部５１は底板２３に押し付けられることになる（図９の（ｂ）参照）。
すなわち、平面部５１は筐体１０の開口部２４を覆うと共に、底板に押し付けられるから、遮音効果と共に、異常音（衝突音）の発生が防止される。
【００３３】
［実施の形態４］
図１０は本発明の実施の形態４に係る洗濯機を説明する側面視の側面図である。図１０において、洗濯機４は、筐体４１０内に、傾動自在に懸吊された水槽（貯水槽に同じ）を有している。また、筐体４１０の下部に連なる底枠４２０の底枠下部４２２は、筐体４１０よりも小さく、後方寄り（図中、左側）に配置されている。そして、底板４２３に形成された開口部４２４には遮音板５０が設置されている。このとき、遮音板５０は筐体１０の後方から前方に向かって差し込まれたものである。
したがって、洗濯機４は洗濯機１、２（実施の形態１、２）と同様に、遮音板５０の設置が容易かつ確実であって、異常（衝突音）の発生を防止すると共に、外部に音を漏らさない遮音性に優れている。また、遮音板５０に替えて遮音板８０を設置すれば、洗濯機３（実施の形態３）と同様の作用効果を奏するものである。
なお、洗濯機１〜３（実施の形態１〜３）は、洗濯機４から水槽を傾動させる機能を撤去したものに相当している。以下、洗濯機４について簡単に説明する。
【００３４】
（洗濯機）
図１０において、洗濯機４は、一連の洗い行程とすすぎ行程と脱水行程と乾燥行程とを実行するものであって、洗濯槽を傾斜させた状態（回転軸を鉛直方向に対して傾けた状態）で洗い行程と乾燥行程とを実行し、洗濯槽を直立させた状態（回転軸を鉛直方向にした状態）で脱水行程（すすぎ行程を含む場合がある）とを実行するものである。したがって、図１０に示す姿勢は、洗濯行程に対応している。
【００３５】
（筐体）
筺体４１０は断面矩形の筒状（略直方体に同じ）であって、天面には天面開口部４１１が形成され、天面開口部４１１には扉４１２が開閉自在に設置されている。また、天面開口部４１１の後方（図中、右側）には洗濯ケース４１３が設置されている。
また、筺体４１０のに連なって底枠４２０が接続され、底枠４２０の底板４２３（筐体４１０の低板に同じ）には、遮音板５０とゴム足４２５とが設置されている。なお、遮音板５０の設置要領は洗濯機１（実施の形態１）に同じであるから、説明を省略する。
さらに、筺体４１０は四隅の上端部近くには吊り板４２６が設置され、吊り板４２６には吊り座４２７が設けられている。
【００３６】
（水槽）
筺体４１０内に水槽４３０が収納されている。水槽４３０は天面が開放され、水槽底４３１が閉塞されたコップ状であって、水槽底４３１の近くで筐体４１０の四隅と同一位相に、バネ受け４３２が設置されている。
そして、水槽４３０は吊り棒４４０によって吊り下げられている。すなわち、吊り棒４４０の上端は吊り座４２７に係止し、下端はバネ４４１を介してバネ受け４３２によって支持されている。なお、後方の吊り棒４４０には吊り棒可動部４４２が設けられているから、吊り棒可動部４４２が後方の吊り棒４４０を引き上げると、水槽４３０は前方に向かって傾動する。
【００３７】
（脱水槽）
脱水槽（洗濯槽に同じ）４５０は、投入された衣類の洗いとすすぎと脱水と乾燥とに供するものであるから、洗濯兼脱水槽あるいは洗濯兼脱水兼乾燥槽とも称呼されるものである。脱水槽４５０は水槽４３０に回転自在に配置されている。そして、水槽４３０が傾動するから、脱水槽４５０は水槽４３０と共に傾動するものである。したがって、洗濯行程における洗濯水の撹拌が促進され、洗浄効果が向上すると共に、乾燥行程においても衣類の撹拌が促進されるから、乾燥効率が向上する。
脱水槽４５０は、天面が開放され、脱水槽底４５１が閉塞されたコップ状で、側面４５２には脱水のための複数の通水孔４５３が形成され、天面の周囲にはバランサー４５４が設置されている。
【００３８】
（パルセータ）
また、脱水槽底４５１の内側には、投入された衣類および注水された水（以下「洗濯水」と称す）を攪拌するパルセータ４６０が回転自在に配置されている。パルセータ４６０のベース４６０ａの上面には羽根４６０ｂが形成され、投入された衣類および注入された水を効率的に攪拌するようになっている。ベース４６０ａの下面には略半径方向に向かって複数の裏羽根４６１が設置され、複数の裏羽根４６１の下端部には、これらを連結する円環状板（以下「裏蓋」と称す）４６２が設置されている。したがって、ベース４６０ａの下面と裏蓋４６２の上面との間には、一対の裏羽根４６１に仕切られた複数の略角錐台状の空間（以下「加速流路」と称す）４６３が形成されている。
【００３９】
また、裏蓋４６２の内周縁とパルセータ４６０の駆動軸４６４との間には円環状の隙間（以下「吸引口」と称す）４６５が形成され、水槽４３０の水槽底４３１には吸引口４６５に対峙する開口部（以下「循環口」と称す）４３５が形成されている。
よって、水中に没した状態で、パルセータ４６０を回転すると、加速流路４６３内の水は遠心力によって半径方向の外側に飛ばされるから、水槽底４３１と脱水槽底４５１との間に貯まった洗濯水は、循環口４３５および吸引口４６５を通過して、加速流路４６３に吸い込まれることになる。このとき、加速流路４６３は回転する部材のみ（いわゆるロータ）によって形成されるから、回転する部材と回転しない部材と（いわゆるロータとステータと）から形成されるものよりも、ポンプ性能（吸引／吐出性能に同じ）が優れている。なお、パルセータ４６０は水槽４３０の水槽底４３１に軸受ベース・ステータ４７１を介して設置されたモータ４７０によって回転駆動されるものである。
【００４０】
（循環水路）
脱水槽４５０の側面の内側には、所定厚さ（半径方向の距離に同じ）で、所定幅（円周方向の距離に同じ）の循環水路４５５が鉛直方向（図中、上下方向）に形成され、循環水路４５５の上端には散水孔４５６が設けられている。
したがって、洗濯行程において、パルセータ４６０の回転によって吐出された洗濯水は、循環水路４５５を経由して散水孔４５６から脱水槽４５０内に噴射されることになる。したがって、水面の泡等が消されるから周囲が清浄に保たれる。
【００４１】
（除湿手段）
さらに、水槽４３０には除湿手段４８０が設置されている。除湿手段４８０は乾燥行程において、脱水槽４５０から排出された湿った空気を案内する除湿風路４８１と、除湿風路４８１内に設置された除湿板４８２および乾燥フィルタ４８３と、除湿風路４８１に空気を吸引（脱水槽４５０に空気を送るに同じ）するファン・モータ４８４、ファン・モータ４８４によって送られた空気を加熱するヒータ４８５、ヒータ４８５によって加熱された空気を脱水槽４５０に案内する蛇腹４８６と、から形成されている。このとき、蛇腹４８６は可撓性または伸縮性を具備するから、水槽４３０の傾動に追従することができる。
なお、筐体４１０の天面には給水口４１４が設けられ、給水口４１４に注入された水は、分岐弁４１５によって分岐され、洗濯ケース４１３に注がれたり、あるいは除湿板４８２に注がれたりする。
【産業上の利用可能性】
【００４２】
本発明は以上の構成であるから、設置が容易かつ確実な遮音板を有し、異音（衝突音）の発生を防止すると共に、外部に音を漏らさない遮音性に優れているから、各種家庭および業務用の洗濯機として広く利用することができる。
【図面の簡単な説明】
【００４３】
【図１】本発明の実施の形態１に係る洗濯機を説明する一部断面にした側面図等。
【図２】図１に示す洗濯機に設置される遮音板を模式的に示す斜視図。
【図３】図１および図２に示す遮音板のバリエーションを模式的に示す斜視図。
【図４】図１および図２に示す遮音板のバリエーションを模式的に示す断面図。
【図５】図１および図２に示す遮音板のバリエーションを模式的に示す斜視図。
【図６】図１および図２に示す保持手段のバリエーションを模式的に示す側面図。
【図７】図１に示す遮音板の差し込み方向のバリエーションを模式的に示す外観図。
【図８】本発明の実施の形態２に係る洗濯機を説明する側面視の断面図等。
【図９】本発明の実施の形態３に係る洗濯機を説明する一部を示す側面図。
【図１０】本発明の実施の形態４に係る洗濯機を説明する側面視の側面図。
【符号の説明】
【００４４】
１：洗濯機（実施の形態１）、２：洗濯機（実施の形態２）、３：洗濯機（実施の形態３）、４：洗濯機（実施の形態４）、９：載置面、１０：筐体、２０：底枠、２１：底枠上部、２２：底枠下部、２３：底板、２４：開口部、２５：ゴム足、２６：係止孔、３０：保持手段、３１：案内保持手段、３２：差込奥側保持手段、５０：遮音板、５１：平面部、５２：立ち上がり部、５３：係止部、５４：係止爪、５５：凹部、５６：ドレン孔、５７：多孔質体、５８：面取り、６０：弾性部材、６１：外周、６１ｃ：隙間、６２：内周、７０：呼び込みガイド（実施の形態２）、８０：遮音板（実施の形態３）、９０：弾性部材（実施の形態３）、４１０：筐体、４１１：天面開口部、４１２：扉、４１３：洗濯ケース、４１４：給水口、４１５：分岐弁、４２０：底枠、４２２：底枠下部、４２３：底板、４２４：開口部、４２５：ゴム足、４２６：吊り板、４２７：吊り板座、４３０：水槽、４３１：水槽底、４３２：バネ受け、４３５：循環口、４４０：吊り棒、４４１：バネ、４４２：吊り棒可動部、４５０：脱水槽、４５１：脱水槽底、４５２：側面、４５３：通水孔、４５４：バランサー、４５５：循環水路、４５６：散水孔、４６０：パルセータ、４６０ａ：ベース、４６０ｂ：羽根、４６１：裏羽根、４６２：裏蓋、４６３：加速流路、４６４：駆動軸、４６５：吸引口、４７０：モータ、４７１：軸受ベース・ステータ、４８０：除湿手段、４８１：除湿風路、４８２：除湿板、４８３：乾燥フィルタ、４８４：モータ、４８５：ヒータ、４８６：蛇腹。
【図１】
2008161563.tif 000003
【図２】
2008161563.tif 000004
【図３】
2008161563.tif 000005
【図４】
2008161563.tif 000006
【図５】
2008161563.tif 000007
【図６】
2008161563.tif 000008
【図７】
2008161563.tif 000009
【図８】
2008161563.tif 000010
【図９】
2008161563.tif 000011
【図１０】
2008161563.tif 000012